(57)【特許請求の範囲】
【請求項１】
複数の遊技媒体を収容する収容器と、該収容器の底部に配設され前記遊技媒体が受容される複数の受容孔を備えた第１の回転円板と、該第１の回転円板と同軸的に配設され前記遊技媒体が受容される複数の受容孔と遊技媒体排出手段を備えた第２の回転円板と、前記第１の回転円板と前記第２の回転円板の間に前記第１の回転円板及び前記第２の回転円板と同軸的に配設された駆動力切替伝達手段と、前記第１の回転円板及び前記駆動力切替伝達手段に回転駆動力を付与する駆動手段と、を備えた遊技媒体払出装置であって、
前記第１の回転円板は、正転方向及び逆転方向に回転可能に前記駆動手段の駆動軸に固着され、
前記駆動力切替伝達手段は、前記第２の回転円板に形成された被駆動係合部と、前記被駆動係合部と係合して前記正転方向の前記回転駆動力を前記第２の回転円板へ伝達する駆動係合部が設けられた駆動力伝達部材と、該駆動力伝達部材を前記駆動軸方向に前記第２の回転円板側へ付勢する付勢部材とを具備してなり、前記第２の回転円板に対して、前記正転方向の前記回転駆動力を伝達し前記逆転方向の前記回転駆動力は伝達しないように構成され、
前記第２の回転円板が前記正転方向に回転駆動されることにより前記遊技媒体が順次排出されてなることを特徴とする遊技媒体払出装置。
【請求項２】
前記駆動手段の前記駆動軸は、該駆動軸方向と直交する断面が非円形の非円柱部を有し、
前記駆動力伝達部材は、中心部に前記駆動軸の前記非円柱部の外形形状に対応した形状の挿通孔が形成された筒状部を有し、
前記駆動力伝達部材が前記駆動軸方向に変位可能かつ前記駆動軸とともに前記正転方向及び前記逆転方向に回転可能に前記挿通孔に前記非円柱部が挿通されてなることを特徴とする請求項１に記載の遊技媒体払出装置。
【請求項３】
前記駆動力伝達部材は、前記筒状部の外周部から回転径方向に一体的に延設された円板状の鍔部を備え、
前記駆動係合部は、前記正転方向の前面側に前記鍔部の前記第２の回転円板と対向する面から略直角に突設する駆動面を備え、
前記被駆動係合部は、前記第２の回転円板の前記駆動係合部と対向する対向面から前記駆動係合部側へ突設して形成され、前記正転方向の後面側に前記対向面から略直角に突設される被駆動面と該被駆動面の上端部から前記対向面まで下方に傾斜して前記正転方向の前面側に形成された傾斜面とを備え、
前記駆動力伝達部材が前記正転方向に回転駆動されたときに前記被駆動面が前記駆動面に押圧されて、前記第２の回転円板が前記正転方向に回転駆動されてなることを特徴とする請求項２に記載の遊技媒体払出装置。
【請求項４】
前記駆動力伝達部材は、前記筒状部の外周部から回転径方向に一体的に延設された円板状の鍔部を備え、
前記駆動係合部は、前記正転方向の前面側に前記鍔部の前記第２の回転円板と対向する面から略直角に突設する駆動面を備え、
前記被駆動係合部は、前記第２の回転円板の前記駆動係合部と対向する対向面から前記駆動係合部と反対側へ凹設して形成され、前記正転方向の前面側に前記対向面から略直角に凹設される被駆動面と該被駆動面の下端部から前記対向面まで上方に傾斜して前記正転方向の後面側に形成された傾斜面とを備え、
前記駆動力伝達部材が前記正転方向に回転駆動されたときに前記被駆動面が前記駆動面に押圧されて、前記第２の回転円板が前記正転方向に回転駆動されてなることを特徴とする請求項２に記載の遊技媒体払出装置。
【発明の詳細な説明】
【技術分野】
【０００１】
本発明は、スロットマシン等の遊技機や遊技媒体の貸出装置等に用いられる遊技媒体払出装置に関する。
【背景技術】
【０００２】
一般に、スロットマシン等の遊技機は、遊技者がメダル等の遊技媒体を賭けて複数個のリールからなる可変表示装置を回転させ、この可変表示装置が停止したときの各リールに描かれている図柄や数字等の識別情報が、所定の組み合わせとなったときに、その組み合わせの態様に応じて予め定められた枚数のメダルが払い出されるように構成されている。可変表示装置の停止図柄が所定の入賞態様となると、遊技機内部の遊技媒体払出装置から所定枚数のメダルが排出され、遊技機下部に設けられた受皿装置に払い出されて貯留される。
【０００３】
かかる遊技媒体払出装置は、複数のメダルが無秩序に収容される収容器の底部に、メダルが数枚ずつ水平に整列されて受容される複数の受容孔が形成された回転円板を備え、この回転円板をモータ等の駆動手段により回転駆動している。回転円板の受容孔に受容されたメダルは、回転円板の回転に伴って所定の軌道に誘導され、受容孔の下部に設けられたメダル排出手段によって外部に排出される。
【０００４】
このときメダル収容器にはメダルが無秩序に収容されているため、メダルが回転円板の受容孔に整然と受容されずに、受容孔とその下部の床面または収容器の内周面との間に挟まったり数枚のメダルが縦に固まったりしてメダル詰まりを起こし、回転円板の回転を阻害するという問題が生じる場合があり、従来、種々の対策が提案されている。
【０００５】
例えば、特開２００４−３１０４０８号公報には、コイン（遊技媒体）の外径よりも大きな内径をもって貫通した複数のコイン受け孔が、中心から等距離の位置に配列された回転盤と、この回転盤を回転自在に支持する基盤とを有し、多数のコインを集積したバケットの底部に設けられた供給口から、前記コイン受け孔に送り込まれるコインを、一枚ずつ排出するコイン払出装置であって、前記回転盤の外周部に、この回転盤の回転軸と略平行となる内周壁を有する周壁を一体的に設けたことを特徴とするコイン払出装置の発明が開示されている。
【０００６】
また、特開２００５−３２２０９号公報には、上端から下端にかけてすぼんで形成され、上端開口部から投入されたコイン（遊技媒体）を貯留するコインバケットと、このコインバケットの下端に設けられ、コインを収容するコイン受孔が回転中心のまわりに環状に複数形成されたコインディスクと、このコインディスクを前記回転中心を中心に回転させる回転駆動手段と、前記コインディスクのコイン受孔に収容されたコインを外部に放出して払い出すコイン放出手段とを備えるホッパー装置において、前記コインディスクは、前記コインディスクの回転中心部から周縁部にわたって突出する突条が前記コイン受孔間に形成されていることを特徴とするホッパー装置の発明が開示されている。
【０００７】
【特許文献１】特開２００４−３１０４０８号公報
【特許文献２】特開２００５−３２２０９号公報
【発明の開示】
【発明が解決しようとする課題】
【０００８】
しかしながら、上記特許文献１または特許文献２に開示されている発明においても、遊技媒体の受容孔に複数の遊技媒体が斜めに重なって受容孔に挟まるような不具合を完全に解消することができず、一度遊技媒体が詰まってしまうと係員が手動で対応しないとその詰まりを除去することができないので、遊技媒体が詰まることによる駆動モータの回転の阻害を生じてしまうという課題があった。
【０００９】
本発明はこのような課題を解決するためになされたものであり、回転円板の受容孔に遊技媒体が詰まることを有効に防止でき、各受容孔に整然と遊技媒体が受容され得る遊技媒体払出装置を提供することを目的とする。
【課題を解決するための手段】
【００１０】
このような課題を解決するために請求項１に記載の発明は、複数の遊技媒体を収容する収容器と、該収容器の底部に配設され前記遊技媒体が受容される複数の受容孔を備えた第１の回転円板と、該第１の回転円板と同軸的に配設され前記遊技媒体が受容される複数の受容孔と遊技媒体排出手段を備えた第２の回転円板と、前記第１の回転円板と前記第２の回転円板の間に前記第１の回転円板及び前記第２の回転円板と同軸的に配設された駆動力切替伝達手段と、前記第１の回転円板及び前記駆動力切替伝達手段に回転駆動力を付与する駆動手段と、を備えた遊技媒体払出装置であって、前記第１の回転円板は、正転方向及び逆転方向に回転可能に前記駆動手段の駆動軸に固着され、前記駆動力切替伝達手段は、前記第２の回転円板に形成された被駆動係合部と、前記被駆動係合部と係合して前記正転方向の前記回転駆動力を前記第２の回転円板へ伝達する駆動係合部が設けられた駆動力伝達部材と、該駆動力伝達部材を前記駆動軸方向に前記第２の回転円板側へ付勢する付勢部材とを具備してなり、前記第２の回転円板に対して、前記正転方向の前記回転駆動力を伝達し前記逆転方向の前記回転駆動力は伝達しないように構成され、前記第２の回転円板が前記正転方向に回転駆動されることにより前記遊技媒体が順次排出されてなることを特徴とする。
【００１２】
請求項２に記載の発明は、前記請求項１に記載の発明において、前記駆動手段の前記駆動軸は、該駆動軸方向と直交する断面が非円形の非円柱部を有し、前記駆動力伝達部材は、中心部に前記駆動軸の前記非円柱部の外形形状に対応した形状の挿通孔が形成された筒状部を有し、前記駆動力伝達部材が前記駆動軸方向に変位可能かつ前記駆動軸とともに前記正転方向及び前記逆転方向に回転可能に前記挿通孔に前記非円柱部が挿通されてなることを特徴とする。
【００１３】
請求項３に記載の発明は、前記請求項２に記載の発明において、前記駆動力伝達部材は、前記筒状部の外周部から回転径方向に一体的に延設された円板状の鍔部を備え、前記駆動係合部は、前記正転方向の前面側に前記鍔部の前記第２の回転円板と対向する面から略直角に突設する駆動面を備え、前記被駆動係合部は、前記第２の回転円板の前記駆動係合部と対向する対向面から前記駆動係合部側へ突設して形成され、前記正転方向の後面側に前記対向面から略直角に突設される被駆動面と該被駆動面の上端部から前記対向面まで下方に傾斜して前記正転方向の前面側に形成された傾斜面とを備え、前記駆動力伝達部材が前記正転方向に回転駆動されたときに前記被駆動面が前記駆動面に押圧されて、前記第２の回転円板が前記正転方向に回転駆動されてなることを特徴とする。
【００１４】
請求項４に記載の発明は、前記請求項２に記載の発明において、前記駆動力伝達部材は、前記筒状部の外周部から回転径方向に一体的に延設された円板状の鍔部を備え、前記駆動係合部は、前記正転方向の前面側に前記鍔部の前記第２の回転円板と対向する面から略直角に突設する駆動面を備え、前記被駆動係合部は、前記第２の回転円板の前記駆動係合部と対向する対向面から前記駆動係合部と反対側へ凹設して形成され、前記正転方向の前面側に前記対向面から略直角に凹設される被駆動面と該被駆動面の下端部から前記対向面まで上方に傾斜して前記正転方向の後面側に形成された傾斜面とを備え、前記駆動力伝達部材が前記正転方向に回転駆動されたときに前記被駆動面が前記駆動面に押圧されて、前記第２の回転円板が前記正転方向に回転駆動されてなることを特徴とする。
【発明の効果】
【００１５】
請求項１に記載の発明に係る遊技媒体払出装置によれば、複数の遊技媒体を収容する収容器と、該収容器の底部に配設され前記遊技媒体が受容される複数の受容孔を備えた第１の回転円板と、該第１の回転円板と同軸的に配設され前記遊技媒体が受容される複数の受容孔と遊技媒体排出手段を備えた第２の回転円板と、前記第１の回転円板と前記第２の回転円板の間に前記第１の回転円板及び前記第２の回転円板と同軸的に配設された駆動力切替伝達手段と、前記第１の回転円板及び前記駆動力切替伝達手段に回転駆動力を付与する駆動手段と、を備えた遊技媒体払出装置であって、前記第１の回転円板は、正転方向及び逆転方向に回転可能に前記駆動手段の駆動軸に固着され、前記駆動力切替伝達手段は、前記第２の回転円板に対して、前記正転方向の前記回転駆動力を伝達し前記逆転方向の前記回転駆動力は伝達しないように構成され、前記第２の回転円板が前記正転方向に回転駆動されることにより前記遊技媒体が順次排出されるように構成されているので、前記第１の回転円板を所定のタイミングで逆転方向に回転させることにより収容器内に無秩序に収容されている遊技媒体を攪拌して受容孔内に整列させることができ、遊技媒体の詰まりを防止することができる。
【００１６】
また、正転方向の回転により、万一、遊技媒体の受容孔での挟み込みが生じても、第１の回転円板の逆転時に挟み込みを除去することができる。
【００１７】
なお、逆転方向の回転駆動力は前記駆動力切替伝達手段の作用によって遊技媒体排出手段を備えた第２の回転円板には伝達されないので、第２の回転円板が逆転方向に回転することはなく、第２の回転円板の逆転方向への回転による遊技媒体の誤排出を防止することができる。
【００１８】
また、請求項１に記載の発明に係る遊技媒体払出装置によれば、前記駆動力切替伝達手段が、前記第２の回転円板に形成された被駆動係合部と、前記被駆動係合部と係合して前記正転方向の前記回転駆動力を前記第２の回転円板へ伝達する駆動係合部が設けられた駆動力伝達部材と、該駆動力伝達部材を前記駆動軸方向に前記第２の回転円板側へ付勢する付勢部材と、を具備しているので、正転方向の回転駆動力を、付勢部材によって第２の回転円板側へ付勢される駆動力伝達部材により、駆動力伝達部材の駆動係合部から第２の回転円板の被駆動係合部へ確実に伝達することができる。
【００１９】
請求項２に記載の発明に係る遊技媒体払出装置によれば、上記請求項１に記載の発明に係る遊技媒体払出装置の効果に加えて、前記駆動手段の前記駆動軸は、該駆動軸方向と直交する断面が非円形の非円柱部を有し、前記駆動力伝達部材は、中心部に前記駆動軸の前記非円柱部の外形形状に対応した形状の挿通孔が形成された筒状部を有し、前記駆動力伝達部材が前記駆動軸方向に変位可能かつ前記駆動軸とともに前記正転方向及び前記逆転方向に回転可能に前記挿通孔に前記非円柱部が挿通されて構成されるので、駆動軸の正転方向及び逆転方向の回転動作には同期して回転し第２の回転円板への回転駆動力の伝達は軸方向の変位で切替が可能な駆動力切替伝達手段を簡易な構造で構成することができる。
【００２０】
請求項３に記載の発明に係る遊技媒体払出装置によれば、上記請求項２に記載の発明に係る遊技媒体払出装置の効果に加えて、前記駆動力伝達部材は、前記筒状部の外周部から回転径方向に一体的に延設された円板状の鍔部を備え、前記駆動係合部は、前記正転方向の前面側に前記鍔部の前記第２の回転円板と対向する面から略直角に突設する駆動面を備え、前記被駆動係合部は、前記第２の回転円板の前記駆動係合部と対向する対向面から前記駆動係合部側へ突設して形成され、前記正転方向の後面側に前記対向面から略直角に突設する被駆動面と該被駆動面の上端部から前記対向面まで下方に傾斜して前記正転方向の前面側に形成された傾斜面とを備え、前記駆動力伝達部材が前記正転方向に回転駆動されたときに前記被駆動面が前記駆動面に押圧されて、前記第２の回転円板が前記正転方向に回転駆動されるように構成されているので、駆動手段による回転駆動力が正転方向のとき、正転方向の前面側に突設形成された駆動係合部の駆動面が正転方向の後面側に突設形成された被駆動係合部の被駆動面を面接触状態で確実に押圧して第２の回転円板に回転駆動力を伝達することができる。
【００２１】
なお、駆動手段による回転駆動力が逆転方向のときは、前記駆動力伝達部材を前記駆動軸方向に変位させながら前記駆動面の背部が前記被駆動面の背部の前記傾斜面上を滑走し、第２の回転円板には回転駆動力は伝達されない。
【００２２】
請求項４に記載の発明に係る遊技媒体払出装置によれば、上記請求項２に記載の発明に係る遊技媒体払出装置の効果に加えて、前記駆動力伝達部材は、前記筒状部の外周部から回転径方向に一体的に延設された円板状の鍔部を備え、前記駆動係合部は、前記正転方向の前面側に前記鍔部の前記第２の回転円板と対向する面から略直角に突設する駆動面を備え、前記被駆動係合部は、前記第２の回転円板の前記駆動係合部と対向する対向面から前記駆動係合部と反対側へ凹設して形成され、前記正転方向の前面側に前記対向面から略直角に凹設される被駆動面と該被駆動面の下端部から前記対向面まで上方に傾斜して前記正転方向の後面側に形成された傾斜面とを備え、前記駆動力伝達部材が前記正転方向に回転駆動されたときに前記被駆動面が前記駆動面に押圧されて、前記第２の回転円板が前記正転方向に回転駆動されるように構成されているので、駆動手段による回転駆動力が正転方向のとき、正転方向の前面側に突設形成された駆動係合部の駆動面が正転方向の前面側に凹設形成された被駆動係合部の被駆動面を面接触状態で確実に押圧して第２の回転円板に回転駆動力を伝達することができる。
【００２３】
なお、駆動手段による回転駆動力が逆転方向のときは、上記請求項３に記載の発明に係る遊技媒体払出装置と同様に、第２の回転円板には回転駆動力は伝達されない。
【００２４】
また、被駆動面が第２の回転円板の前記対向面から凹設されて形成されているので、請求項３に記載の発明に係る遊技媒体払出装置に比して駆動軸方向に薄型の遊技媒体払出装置を提供することができる。
【発明を実施するための最良の形態】
【００２５】
以下、本発明に係る遊技媒体払出装置の好適な一実施形態を、スロットマシンを例に図面を参照して説明する。なお、図１はスロットマシン１の外観構造を表した斜視図、図２は前扉３を開放した状態におけるスロットマシン１の内部構造を表した平面図である。図３は、スロットマシン１の制御システムを表したブロック図である。
【００２６】
図１において、スロットマシン１は、略矩形状の箱体である筐体２と、当該筐体２と蝶番機構により開閉可能に取り付けられた前扉３とを備えている。前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダルを貯留する受皿部６ａが一体的に形成された受皿ユニット６が設けられている。
【００２７】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００２８】
上部パネル部４の中央には、硬質プラスチック板等で形成されたパネル面４１が設けられている。パネル面４１のほぼ中央には略長方形の透明な表示窓が形成され、この表示窓を通して筐体２内に設けられている可変表示装置を構成するリールユニット１００の３個のリール１０１ａ、１０１ｂ、１０１ｃ（図２参照）が目視される。
【００２９】
上部パネル部４の上部には、レンズパネル４６ａの内部に高輝度発光ダイオード等の光源を内蔵する照明演出装置４６と、ゲームに係る効果音を発生させるスピーカを内蔵する演出用放音部４７ａ、４７ｂがそれぞれ配置されている。
【００３０】
また、演出用放音部４７ａ、４７ｂの間には、透明な硬質プラスチック板等が嵌め込まれて形成された表示窓４８ａに面して遊技機の演出装置として液晶表示演出装置４８が配置されている。なお、液晶表示演出装置４８は、ゲームの演出に係る映像やゲーム（遊技）に関する情報を主に表示する。
【００３１】
上部パネル部４の側部には、蛍光灯や高輝度発光ダイオードで形成された演出用照明部４９ａ、４９ｂが設けられている。ゲームの進行に応じて上述した照明演出装置４６、複数の演出用照明部４９ａ、４９ｂ等が点灯又は点滅することで、ゲームにおける視覚的な演出効果を高めるように形成されている。
【００３２】
操作卓７の上面右側には、メダルを投入するためのメダル投入口７１ａを有するメダル投入部７１が設けられている。また、当該上面の左側には、押しボタンスイッチである２個のベットボタン７２、７３が設けられている。
【００３３】
ベットボタン７２、７３はスロットマシン１の１ゲームに賭けるメダルの枚数を提示するためのボタンスイッチである。ゲームを開始する際に、ベットボタン７２が１回押圧操作されることで、貯留されているメダルから１枚のメダルがゲームに対して賭けられ、同様にベットボタン７２が２回押圧操作されることで２枚のメダルが賭けられる。また、ベットボタン７３が押圧操作されることで３枚のメダルが当該ゲームに賭けられる。なお、ベットボタン７３は、最大枚数のメダルを賭けることから、特に「マックスベットボタン」と呼ばれている。
【００３４】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、この操作旱が傾倒操作されるとオン、操作旱から手が離されるとスプリングの付勢力によって自動的に元の位置に戻ってオフ状態となるスイッチユニットで形成されている。
【００３５】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３６】
さらに、操作卓７の前面の左隅には、ゲームに賭けられたメダルをキャンセルして払い出させることを指示するとともに、後述するメダルクレジット手段２１０（図３参照）が内部貯留したメダルを精算して払い出させることを指示するための精算ボタン７７が設けられている。
【００３７】
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００３８】
下部パネル部５には、スロットマシン１のモデルタイプを遊技者へ認識させる等のため、登場キャラクターの意匠などを表示するパネル５１が設けられている。下部パネル部５の下側には、入賞時にメダルを排出するメダル払出口６１と、演出効果音を発生させるスピーカを内蔵する演出用放音部６２ａ、６２ｂと、受皿ユニット６がそれぞれ配置されている。受皿ユニット６は、メダル払出口６１から払い出されたメダルを貯留する受皿部６ａと、遊技者の喫煙の用に供するための灰皿部材６５とを備えている。
【００３９】
次に、図２を参照して、筐体２の内部構造と前扉３の裏面構造とを説明する。同図において、筐体２内の上部には、スロットマシン１の全体動作を集中制御するＣＰＵ（マイコン）を備え硬質プラスチックのケースに収納された主制御基板２０が取り付けられている。
【００４０】
筐体２内の中央には、リール１０１ａ、１０１ｂ、１０１ｃを備える可変表示装置を構成するリールユニット１００が設けられている。リールユニット１００は、前扉３が筐体２側に閉じられると前扉３のパネル面４１の表示窓にリール１０１ａ、１０１ｂ、１０１ｃが対向するように、所定フレームに位置決めされて取り付けられている。
【００４１】
リールユニット１００は、円筒形状のリール１０１ａ、１０１ｂ、１０１ｃがそれぞれ回転軸方向に並置されて構成されており、各リール１０１ａ、１０１ｂ、１０１ｃの外周面にはその周方向に沿って複数種類の図柄や数字等による識別情報が描かれている。遊技者は、パネル面４１の表示窓を通して３列のリールに描かれたそれぞれ上下方向３個の図柄等（識別情報）を目視できるようになっている。なお、各リール１０１ａ、１０１ｂ、１０１ｃは、それぞれに内蔵されたステッピングモータによって回転駆動される。
【００４２】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４３】
リールユニット１００の下方には、遊技媒体払出装置としてのホッパ装置２１と、ホッパ装置２１から溢れたメダルを収容するための補助貯留部２２と、主電源装置２４が設けられている。主電源装置２４の側面には、いわゆる配電盤に相当する電源装置基板２３が設けられている。更に、筐体２の上部右側の内壁に、遊技場に設置されている「ホールコンピュータ」と呼ばれる管理用コンピュータと接続可能な外部集中端子基板２５が取り付けられている。なお、ホッパ装置２１については別途図面を参照して後に詳細に説明する。
【００４４】
次に、前扉３の裏面側上部には、上述の演出用放音部４７ａ、４７ｂに対向してスピーカ３２ａ、３２ｂが取り付けられている。また、スピーカ３２ａ、３２ｂの間には、液晶表示演出装置４８が取り付けられている。更に、液晶表示演出装置４８の裏面側には、電気回路基板で形成されたサブ制御基板３０が取り付けられている。
【００４５】
なお、スロットマシン１全体の動作は、筐体２側に設けられている主制御基板２０によって統括制御されており、サブ制御基板３０は、液晶表示演出装置４８による演出映像の表示制御、照明演出装置４６及び演出用照明部４９ａ、４９ｂを使った演出効果照明制御、並びに演出用放音部４７ａ、４７ｂ、６２ａ、６２ｂを使った演出効果音制御など、ゲームの演出に係る制御を主に行っている。
【００４６】
サブ制御基板３０の下方には、リール１０１ａ、１０１ｂ、１０１ｃを目視させるための透明な表示窓が形成されたパネル面４１が配置され、パネル面４１の下方には、前面側のスタートレバー７５及びストップボタン７６ａ、７６ｂ、７６ｃ等の操作スイッチ類の出力信号を主制御基板２０へ転送する中継基板として機能する中央表示基板３３が設けられている。
【００４７】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４８】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００４９】
次に、図３のブロック図を参照して、スロットマシン１に設けられている制御システムについて説明する。
【００５０】
図３において、主制御基板２０は、ＣＰＵ２００と、記憶部２０１と、メダルクレジット手段２１０とを備えている。
【００５１】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。メダルクレジット手段２１０は、内部貯留するメダルの数であるクレジットをメモリに記憶する。
【００５２】
主制御基板２０には、ベットボタン７２、７３、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル（遊技媒体）払出装置、及びサブ制御基板３０等が配線ケーブルで接続されている。
【００５３】
主制御基板２０は、前記操作スイッチ類やメダル選別装置３４からの出力信号によりゲームに係る操作を検出する。主制御基板２０は、動作モードがメダルベット待機状態となっている場合において、メダルセンサ３４ａがメダルを検出した場合、検出したメダルをゲームの賭数に加算する。
【００５４】
また、主制御基板２０は、動作モードがメダルクレジット入力待機状態となっている場合において、メダルセンサ３４ａがメダルを検出した場合、検出したメダルをメダルクレジット手段２１０のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２１０の前記クレジット数が最大値（例えば５０）になるまでの状態のことを示している。
【００５５】
主制御基板２０には各リール１０１ａ、１０１ｂ、１０１ｃに設けられる基準位置センサ１２０ａ、１２０ｂ、１２０ｃの検出信号が入力され、主制御基板２０は、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５６】
主制御基板２０は、入賞が確定した場合等において、ホッパ装置２１を制御することで、所定数のメダルを受皿部６ａに払い出す。
【００５７】
また、主制御基板２０は、精算ボタン７７が操作された場合、ゲームに賭けられたメダルをキャンセルしてホッパ装置２１に払い出させるとともに、メダルクレジット手段２１０が内部貯留したメダルを精算してホッパ装置２１に精算前のクレジット数のメダルを払い出させる。
【００５８】
サブ制御基板３０は、主制御基板２０からの制御信号に基づいて液晶表示演出装置４８、照明演出装置４６、演出用照明部４９ａ、４９ｂ、演出用放音部４７ａ、４７ｂ、６２ａ、６２ｂ等の演出装置２３０を制御駆動することで、遊技者の視覚や聴覚に訴える演出をゲームの進行に応じて行っている。
【００５９】
一方、主制御基板２０の記憶部２０１には、入賞抽選テーブル２０３及び内部抽選フラグ２０４が記憶されている。例えばＣＰＵ２００は、スタートレバー７５の操作を検出した時点で図示しない乱数発生装置から乱数値を取得し、入賞抽選テーブル２０３を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０４に記憶する。ここでは、かかる入賞役の抽選方法を「内部抽選」と呼んでいる。
【００６０】
次に、スロットマシン１におけるゲーム動作の概要を説明する。スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が行われる。次に、遊技者がメダル投入部７１にメダルを投入し、もしくは、何れかのベットボタン７２、７３を押圧操作することで、スロットマシン１は、内部に貯留したメダル（クレジット）から当該ゲームに所定枚数のメダルが賭けられゲームを準備する。
【００６１】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０４に記憶される。
【００６２】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０４に対応する入賞役に係る図柄の組合せとが一致しているかどうか判定する。
【００６３】
これら図柄の組合せが内部抽選の入賞役と一致し役への入賞が確定すると、スロットマシン１は、主制御基板２０によりメダルクレジット手段２１０の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【実施例１】
【００６４】
次に、図４乃至図９を参照して本発明の遊技媒体払出装置の一実施形態について詳細に説明する。図４は本実施形態に係るホッパ装置２１の分解斜視図、図５は本実施形態に係るホッパ装置２１の断面図、図６は本発明の一実施形態に係る駆動力伝達部材６００の斜視図、図７は本発明の一実施形態に係る第２の回転円板７００の要部を示す斜視図、図８及び図９は本発明の一実施形態の動作を説明するための図である。
【００６５】
図４は本発明の遊技媒体払出装置の一実施形態に係るホッパ装置２１の分解斜視図であり、図において、符号３００はメダル等の複数の遊技媒体を収容する収容器であり、外径が矩形状に形成された基体部３２０と、この基体部３２０の上面から一体的に形成された円筒状のメダル収容部３１０とを備え、硬質プラスチック等で成形加工されている。基体部３２０下面の所定の位置には、メダルをホッパ装置２１の外部へ排出するためのメダル排出口３２１が設けられている。
【００６６】
符号４００は第１の回転円板に相当する攪拌ディスクを示し、この攪拌ディスク４００は硬質プラスチックの成型品またはアルミニウム合金等のダイカスト成型品で形成され、中央にねじ５５０が挿通される挿通孔４１１が穿設されたボス４１０を備え円板状に形成されている。攪拌ディスク４００のディスク面４５０の同一半径上には、メダルを数枚ずつ水平に整列して受容する受容孔４２０が環状に複数個（本実施例では４個）穿設形成されている。隣接する受容孔４２０間には、中央のボス４１０から攪拌ディスク４００の周縁部４４０にわたって放射状に延伸する複数（実施例では４本）のリブ４３０が、周縁部４４０とともにディスク面４５０から突設形成されている。これらのリブ４３０は、攪拌ディスク４００を回転駆動することにより収容器３００内の攪拌ディスク４００上に無秩序に収容されるメダルを攪拌して水平に整列させ、メダルを受容孔４２０内に整然と受容させる機能を有している。
【００６７】
符号５００は、攪拌ディスク４００と後述するクラッチ６００との間に介挿される付勢部材としてのコイルばねを示し、クラッチ６００を後述する払出ディスク７００側へ付勢するように機能する。
【００６８】
符号６００は、後述する駆動手段としてのモータ９００の回転駆動力を払出ディスク７００に選択的に伝達する駆動力伝達部材としてのクラッチを示し、硬質プラスチック等を成型加工して形成されている。クラッチ６００は、モータ９００の駆動軸９１０が挿通される挿通孔６１１が穿設形成された筒状部６１０とこの筒状部６１０の外周から外側へ円板状に延設形成された鍔部６２０を備え、この鍔部６２０の下面には駆動係合部６３０が突設形成されている。
【００６９】
符号７００は第２の回転円板に相当する払出ディスクを示し、この払出ディスク７００は硬質プラスチックの成型品またはアルミニウム合金等のダイカスト成型品で形成され、中央部７１０の中心にクラッチ６００の筒状部６１０が挿通される挿通孔７１１が穿設され、この挿通孔７１１の近傍にクラッチ６００の駆動係合部６３０と係合する被駆動係合部７３０が形成されている。払出ディスク７００は円板状に形成され、このディスク面７５０には、上述した攪拌ディスク４００の受容孔４２０に対応した位置に、メダルを数枚ずつ水平に整列して受容する受容孔７２０が環状に複数個（本実施例では４個）穿設形成されている。払出ディスク７００の周縁部７４０はディスク面７５０から突設成型されており、払出ディスク７００の下面には、払出ディスク７００の回転に伴って受容孔７２０に受容したメダルを払出ディスク７００の径方向外側へ誘導し、収容器３００のメダル排出口３２１からホッパ装置２１の外部へ排出する遊技媒体排出手段７５１が一体的に形成されている。
【００７０】
符号８００はホッパ装置２１の基台を示す。この基台８００は、鉄板等の金属板を天板８２０と左右の側板８３０を有するようにコの字状に折曲して形成されており、天板８２０の中央部にはモータ９００の駆動軸９１０が挿通される貫通孔８１０が穿設形成されている。
【００７１】
符号９００は駆動手段としてのモータを示し、正転方向及び逆転方向に回転可能な駆動軸９１０を備えている。駆動軸９１０の外周面の一部には平面状に切削された切削加工面９１２が形成され、所謂Ｄカット加工が施されている。また、駆動軸９１０の先端部には、この駆動軸９１０に攪拌ディスク４００を固着するためのねじ５５０（図５参照）が螺入されるねじ孔９１１が螺刻されている。
【００７２】
本実施形態に係るホッパ装置は、図示しない複数のメダル（遊技媒体）を収容する収容器３００と、この収容器３００の底部に配設されメダルが受容される複数の受容孔４２０を備えた第１の回転円板としての攪拌ディスク４００と、この攪拌ディスク４００と同軸的に配設され、メダルが受容される複数の受容孔７２０とメダル排出手段７５１を備えた第２の回転円板としての払出ディスク７００と、これら攪拌ディスク４００と払出ディスク７００の間に同軸的に配設され払出ディスク７００の中央部７１０に形成された被駆動係合部７３０と協働して駆動力切替伝達手段を構成する駆動係合部６３０を備えた駆動力伝達部材としてのクラッチ６００と、このクラッチ６００を払出ディスク７００側に付勢する付勢部材としてのコイルばね５００と、基台８００と、この基台８００に取付けられる駆動軸９１０を備えた駆動手段としてのモータ９００とから構成されている。
【００７３】
図５は本発明の遊技媒体払出装置の一実施形態に係るホッパ装置２１を図４に示す方形状の収容器３００の基体部３２０及び基台８００の天板８２０の対角線を通る平面で切断した縦断面図である。
【００７４】
図において、基台８００の天板８２０中央の貫通孔８１０に駆動軸９１０を挿通するようにして天板８２０の下面側にモータ９００が取付けられる。天板８２０から上方へ突出する駆動軸９１０に払出ディスク７００の挿通口７１１を遊挿するようにして払出ディスク７００を天板８２０上に載置し、その上方からクラッチ６００を駆動軸９１０に嵌めるようにして組み込む。このとき、クラッチ６００の筒状部６１０の外周部は、払出ディスク７００の挿通口７１１に遊挿される。
【００７５】
クラッチ６００の中心部の挿通孔６１１の内周面形状は、駆動軸９１０の外周面に形成されたＤカット加工に対応した形状に穿設形成されているので、クラッチ６００は駆動軸９１０の回転に伴って正転方向及び逆転方向に回転可能であるとともに、駆動軸９１０方向には上下に変位可能に配設される。
【００７６】
クラッチ６００の上方からコイルばね５００を介して駆動軸９１０の先端部に攪拌ディスク４００が取付けられ、上方からねじ５５０が駆動軸９１０先端のねじ孔９１１に螺入されて攪拌ディスク４００が駆動軸９１０に堅固に固着される。従って、攪拌ディスク４００は常に駆動軸９１０の回転に伴って正転方向及び逆転方向に回転する。なお、本実施形態のホッパ装置２１においては攪拌ディスク４００の上方から見て時計回り（ＣＷ）の方向を正転方向、反時計回り（ＣＣＷ）の方向を逆転方向とする。
【００７７】
攪拌ディスク４００が駆動軸９１０に固着された後、メダル収容器３００を、その基体部３２０中央に設けられた円柱状のディスク収容空間３２２に攪拌ディスク４００及び払出ディスク７００が収容されるように基台８００の天板８２０上に載置し、図示しないねじ等で収容器３００を基台８００に固定してホッパ装置２１が構成される。
【００７８】
図６は本実施形態に係るホッパ装置２１のクラッチ６００を下方から見た斜視図であり、図７は本実施形態に係るホッパ装置２１の払出ディスク７００の中央部７１０を上方から見た要部斜視図である。
【００７９】
図６において、クラッチ６００の中心部には駆動軸９１０が挿通される挿通孔６１１が穿設形成された筒状部６１０が形成されている。挿通孔６１１の内周面の一部は平面状に加工された平面部６１２となっており、図４で説明した駆動軸９１０の切削加工面（Ｄカット加工面）９１２と略同形状に形成されている。この平面部６１２により、挿通孔６１１に挿通される駆動軸９１０の回転駆動力がクラッチ６００に確実に伝達される。
【００８０】
筒状部６１０の外周から径方向外側に一体的に延設形成された円板状の鍔部６２０が形成され、この鍔部６２０の払出ディスク７００と対向する下面６２１には一対の駆動係合部６３０が下方に突設形成されている。駆動係合部６３０は、正転方向（ＣＷ）の前面側に鍔部６２０の下面６２１から略直角に突設する駆動面６３１と、この駆動面６３１の正転方向後面側に駆動面６３１の下端部から鍔部６２０の下面６２１まで上方に傾斜して形成された傾斜面６３２を備えている。
【００８１】
図７は本実施形態に係るホッパ装置２１の払出ディスク７００の中央部７１０を上方から見た要部斜視図であり、図において、払出ディスク７００の中央部７１０中心にクラッチ６００の筒状部６１０が挿通される挿通孔７１１が穿設形成され、この挿通孔７１１の径方向外側でクラッチ６００の駆動係合部６３０と対向する対向面７１２にはクラッチ６００の駆動係合部６３０と係合する一対の被駆動係合部７３０が上方に突設形成されている。
【００８２】
この被駆動係合部７３０は、正転方向の後面側に対向面７１２から略直角に突設する被駆動面７３１と、この被駆動面７３１の正転方向前面側に被駆動面７３１の上端部から対向面７１２まで下方に傾斜して形成された傾斜面７３２を備えている。
【００８３】
次に図８及び図９を参照して本実施形態に係るホッパ装置２１の駆動力切替伝達手段の動作について説明する。図８はモータ９００（図５参照）が正転方向（ＣＷ）の回転駆動力を発生しているときのクラッチ６００と払出ディスク７００の動作を示す図であり、図９はモータ９００が逆転方向（ＣＣＷ）の回転駆動力を発生しているときのクラッチ６００と払出ディスク７００の動作を示す図である。
【００８４】
図８において、モータ９００が正転方向の回転駆動力を発生しているとき、この正転方向の回転駆動力はモータ９００の駆動軸９１０からクラッチ６００に伝達されクラッチ６００が正転方向に回転する。クラッチ６００が正転方向に回転すると、クラッチ６００の駆動係合部６３０の正転方向前面側に突設形成されている駆動面６３１が払出ディスク７００の中央部７１０の被駆動係合部７３０の正転方向後面側に突設形成された被駆動面７３１に当接し、クラッチ６００に伝達された正転方向の回転駆動力が払出ディスク７００に伝達され払出ディスク７００が正転方向に回転駆動される。
【００８５】
クラッチ６００は、駆動軸９１０方向に変位可能に配設されているが、コイルばね５００により常に払出ディスク７００側へ付勢されているので、モータ９００が正転方向の回転駆動力を発生している間は、一度係合した駆動係合部６３０と被駆動係合部７３０との係合は解除されることはない。モータ９００は、払い出すべき数のメダルがホッパ装置２１のメダル排出口３２１から排出されるまで、正転方向の回転駆動力を駆動軸９１０及びクラッチ６００を介して払出ディスク７００に伝達する。
【００８６】
なお、正転方向に払出ディスク７００が回転しているとき、払出ディスク７００に形成されている４個のメダル受容孔７２０は、モータ９００の駆動軸９１０から直接回転駆動力を伝達されている攪拌ディスク４００（図５参照）に形成された４個の受容孔４２０と軸方向に重なるように位置するように構成されている。即ち、攪拌ディスク４００と払出ディスク７００が共に正転方向に回転駆動されているとき、双方のディスク４００、７００に形成されている受容孔４２０、７２０は軸方向に同じ位置で同期して回転する。
【００８７】
このとき、攪拌ディスク４００の受容孔４２０に整列して受容されたメダルは、真下に位置する払出ディスク７００の受容孔７２０に逐次移動し払出ディスク７００下面のメダル排出手段７５１（図４参照）に誘導されてメダル排出口３２１から１枚ずつホッパ装置２１の外部に排出される。
【００８８】
図９はモータ９００が逆転方向（ＣＣＷ）の回転駆動力を発生しているときのクラッチ６００と払出ディスク７００の動作を示す図であり、図において、モータ９００が逆転方向の回転駆動力を発生しているとき、この逆転方向の回転駆動力はモータ９００の駆動軸９１０からクラッチ６００に伝達されクラッチ６００が逆転方向に回転する。図８に示すようにクラッチ６００の駆動係合部６３０と払出ディスク７００の被駆動係合部７３０が係合している状態からクラッチ６００が逆転方向に回転すると、クラッチ６００の駆動係合部６３０と払出ディスク７００の被駆動係合部７３０との係合が解除され、クラッチ６００に伝達された逆転方向の回転駆動力は払出ディスク７００に伝達されず、払出ディスク７００は回転しない。
【００８９】
クラッチ６００の駆動係合部６３０が払出ディスク７００の被駆動係合部７３０の位置までクラッチ６００が逆転方向に回転すると、駆動係合部６３０の正転方向後面側の傾斜面６３２と被駆動係合部７３０の正転方向前面側の傾斜面７３２とが当接するが、これらの傾斜面６３２、７３２同士は係合することなく、クラッチ６００の傾斜面６３２が払出ディスク７００の傾斜面７３２上を上方に滑走して、クラッチ６００はコイルばね５００の付勢力に抗して駆動軸９１０方向上方に変位する。クラッチ６００の傾斜面６３２が払出ディスク７００の傾斜面７３２を通過すると、コイルばね５００の付勢力によりクラッチ６００は駆動軸９１０方向下方に変位して、モータ９００が正転方向の回転駆動力を発生したときにクラッチ６００の駆動係合部６３０の駆動面６３１と払出ディスク７００の被駆動係合部７３０の被駆動面７３１が係合可能な駆動軸９１０方向位置に復帰する。
【００９０】
即ち、モータ９００が逆転方向の回転駆動力を発生しているときは、クラッチ６００が所定間隔で駆動軸９１０方向の上下動を行い、クラッチ６００に伝達された回転駆動力は払出ディスク７００に伝達されないので、払出ディスク７００が逆転方向に回転することはない。従って、払出ディスク７００が逆転方向に回転することによって生じるメダルの誤排出を防止することができる。
【００９１】
本実施形態に係るホッパ装置２１は、メダルを払い出すときにモータ９００を正転方向に回転させ、メダル詰まりの予防若しくはメダル詰まり解消のためにメダルを払い出すことなく収容器３００内のメダルを攪拌、整列させるときにモータ９００を逆転方向に回転させるように制御される。
【００９２】
モータ９００を逆転方向に回転させる制御は、ホッパ装置２１がメダル詰まりを検出したときだけではなく、当選役に応じた枚数の１回の払出動作毎、所定枚数の払出動作毎、所定時間の経過毎、所定ゲーム数の経過毎、その他任意に設定することができる。
【実施例２】
【００９３】
図１０は、本発明の他の実施形態に係るホッパ装置２１の払出ディスク７００の中央部７１０を上方から見た要部斜視図である。この第２の実施形態においては、上述した第１の実施形態と払出ディスク７００に形成された被駆動係合部７６０の形状が異なる。
【００９４】
即ち、図１０において、払出ディスク７００の中央部７１０中心にクラッチ６００の筒状部６１０が挿通される挿通孔７１１が穿設形成され、この挿通孔７１１の径方向外側でクラッチ６００（図６参照）の駆動係合部６３０と対向する対向面７１２にはクラッチ６００の駆動係合部６３０と係合する一対の被駆動係合部７６０が下方に凹設形成されている。
【００９５】
この被駆動係合部７６０は、正転方向の前面側に対向面７１２から略直角に凹設する被駆動面７６１と、この被駆動面７３１の正転方向後面側に被駆動面７６１の下端部から対向面７１２まで上方に傾斜して形成された傾斜面７６２を備えている。
【００９６】
このように形成された被駆動係合部７６０は、クラッチ６００に正転方向の回転駆動力が伝達されているとき、クラッチ６００の駆動係合部６３０が払いディスク７００の被駆動係合部７６０に嵌合するように係合し、駆動係合部６３０の駆動面６３１が被駆動係合部７６０の被駆動面７６１に当接して払出ディスク７００に正転方向の回転駆動力を伝達するように機能する。
【００９７】
また、クラッチ６００に逆転方向の回転駆動力が伝達されているときは、クラッチ６００の駆動係合部６３０が払出ディスク７００の対向面７１２上若しくは被駆動係合部７６０の傾斜面７６２上を摺動して滑走するので、払出ディスク７００には逆転方向の回転駆動力は伝達されない。なお、被駆動係合部７６０の傾斜面７６２は、対向面７１２から略直角に凹設形成される１つの被駆動面７６１の下端部から正転方向後面側へ次の被駆動面７６１の上端部まで緩勾配で上方に傾斜する傾斜面７６２とすることもできる。
【００９８】
この第２の実施形態によれば、被駆動係合部７６０が払出ディスク７００の対向面７１２から凹設して形成されているので、前述した第１の実施形態に比べて駆動軸９１０方向に薄型のホッパ装置２１を提供することができる。
【００９９】
上述した各実施形態においては、モータ９００の回転軸を駆動軸９１０として利用する例を示したが、本発明はこれに限定されることなく、例えば、モータ９００に適当なギアボックスを組み合わせてそのギアボックスによって減速された最終段の出力軸を駆動軸９１０として利用することもできる。
【０１００】
また、駆動軸９１０の形状もＤカット加工に限定されることはなく、例えば、断面が正方形、６角形等の多角形状や半円形状でも良いし、単なる縦溝でも良い。即ち、駆動軸９１０の断面形状が非円形であれば本発明の作用が得られるので、駆動軸９１０の形状は駆動軸９１０からクラッチ６００への回転駆動力伝達及びクラッチ６００の駆動軸９１０方向の変位動作の安定性及び信頼性、並びに駆動軸９１０及びクラッチ６００の加工コストを考慮して適宜選択することができる。
【０１０１】
以上説明したように本発明によれば、回転円板の受容孔に遊技媒体が詰まることを有効に防止でき、各受容孔に整然と遊技媒体が受容され得る遊技媒体払出装置を提供することができる。
【産業上の利用可能性】
【０１０２】
本発明は、スロットマシンに限らず、雀球遊技機やアレンジボール機等その他の遊技機にも利用することができる。
【図面の簡単な説明】
【０１０３】
【図１】本発明の一実施形態に係る遊技媒体払出装置を備えたスロットマシンの外観構造を表した正面図である。
【図２】本発明の一実施形態に係る遊技媒体払出装置を備えたスロットマシンの内部構造を表した平面図である。
【図３】本発明の一実施形態に係る遊技媒体払出装置を備えたスロットマシンの制御システムを表したブロック図である。
【図４】本発明の一実施形態に係る遊技媒体払出装置を示す分解斜視図である。
【図５】本発明の一実施形態に係る遊技媒体払出装置の断面図である。
【図６】本発明の一実施形態に係る遊技媒体払出装置のクラッチの斜視図である。
【図７】本発明の一実施形態に係る遊技媒体払出装置の払出ディスクの要部斜視図である。
【図８】本発明の一実施形態に係る遊技媒体払出装置の動作を説明するための図である。
【図９】本発明の一実施形態に係る遊技媒体払出装置の動作を説明するための図である。
【図１０】本発明の他の実施形態に係る遊技媒体払出装置の払出ディスクの要部斜視図である。
【符号の説明】
【０１０４】
１…スロットマシン、２…筐体、３…前扉、４…上部パネル部、
５…下部パネル部、６…受皿ユニット、６ａ…受皿部、７…操作卓、
２０…主制御基板、２１…ホッパ装置、２２…補助貯留部、
２３…電源装置基板、２４…主電源装置、２５…外部集中端子基板、
３０…サブ制御基板、３２ａ、３２ｂ、３８ａ、３８ｂ…スピーカ、
３３…中央表示基板、３４…メダル選別装置、３４ａ…メダルセンサ、
３５、３６、３７…ガイド部材、４１…パネル面、４６…照明演出装置、
４６ａ…レンズパネル、４７ａ、４７ｂ、６２ａ、６２ｂ…演出用放音部、
４８…液晶表示ユニット、４８ａ…表示窓、４９ａ、４９ｂ…演出用照明部、
５１…パネル、６１…メダル払出口、６５…灰皿部材、７１…メダル投入部、
７１ａ…メダル投入口、７２、７３…ベットボタン、７５…スタートレバー、
７６ａ、７６ｂ、７６ｃ…ストップボタン、７７…精算ボタン、７８…鍵穴、
１００…リールユニット、１０１ａ、１０１ｂ、１０１ｃ…リール、
１１０ａ、１１０ｂ、１１０ｃ…ステッピングモータ、
１２０ａ、１２０ｂ、１２０ｃ…基準位置センサ、
１３０…回胴装置基板、２００…ＣＰＵ、２０１…記憶部、
２０２…システムプログラム、２０３…入賞抽選テーブル、
２０４…内部抽選フラグ、２１０…メダルクレジット手段、
２３０…演出装置、３００…収容器、３１０…収容部、３２０…基体部、
３２１…メダル排出口、４００…攪拌ディスク（第１の回転円板）、
４１０…ボス、４１１…挿通孔、４２０…受容孔、４３０…リブ、
４４０…周縁部、４５０…ディスク面、５００…コイルばね（付勢部材）、
５５０…ねじ、６００…クラッチ（駆動力伝達部材）、６１０…筒状部、
６１１…挿通孔、６１２…平面部、６２０…鍔部、６２１…下面、
６３０…駆動係合部、６３１…駆動面、６３２…傾斜面、
７００…払出ディスク（第２の回転円板）、７１０…中央部、
７１１…挿通孔、７１２…対向面、７２０…受容孔、
７３０、７６０…被駆動係合部、７３１、７６１…被駆動面、
７３２、７６２…傾斜面、７４０…周縁部、７５０…ディスク面、
８００…基台、８１０…貫通孔、８２０…天板、８３０…側板、
９００…モータ（駆動手段）、９１０…駆動軸、９１１…ねじ孔、
９１２…切削加工面（Ｄカット加工部）
【図１】
0004803655.tif 000002
【図２】
0004803655.tif 000003
【図３】
0004803655.tif 000004
【図４】
0004803655.tif 000005
【図５】
0004803655.tif 000006
【図６】
0004803655.tif 000007
【図７】
0004803655.tif 000008
【図８】
0004803655.tif 000009
【図９】
0004803655.tif 000010
【図１０】
0004803655.tif 000011